(57)【要約】【課題】屋外空気調和装置は、屋外に設置され、移動して用いられることが想定される。屋外空気調和装置が傾斜地に設置されたまま空調運転を開始すると、装置にトラブルを発生させる可能性があった。【解決手段】屋外空気調和装置１００は、一つのケーシング１０の中に、圧縮機１と、熱源側熱交換器６と、第１ファン７と、利用側熱交換器３と、第２ファン４と、を収容している。屋外空気調和装置１００は、さらに、屋外空気調和装置１００の傾きを検知する傾斜検知器２１を備えている。【選択図】図３Ａ
2020003178.tif 000002
【特許請求の範囲】
【請求項１】
屋外で使用される空気調和装置（１００）であって、
圧縮機（１）と、
熱源側熱交換器（６）と、
前記熱源側熱交換器に空気を通すための第１ファン（７）と、
利用側熱交換器（３）と、
前記利用側熱交換器に空気を通すための第２ファン（４）と、
前記圧縮機、前記熱源側熱交換器、前記第１ファン、前記利用側熱交換器、および、前記第２ファンを収容するケーシング（１０）と、
前記屋外空気調和装置の傾きを検知する傾斜検知器（２１）と、
を備えた屋外空気調和装置。
【請求項２】
前記傾斜検知器の検知情報によって、前記屋外空気調和装置の運転を制御する制御部（９）をさらに備えている、
請求項１に記載の屋外空気調和装置。
【請求項３】
前記制御部は、前記屋外空気調和装置が運転停止中、前記傾斜検知器の検知情報が前記屋外空気調和装置が所定角度を超えて傾斜していることを示すときは、前記屋外空気調和装置が運転を開始しないように制御する、
請求項２に記載の屋外空気調和装置。
【請求項４】
前記制御部は、前記屋外空気調和装置が運転中、前記傾斜検知器の検知情報が前記屋外空気調和装置が所定角度を超えて傾斜していることを示すときは、前記屋外空気調和装置が運転を停止させるように制御する、
請求項２または３に記載の屋外空気調和装置。
【請求項５】
前記制御部は、前記傾斜検知器の検知した傾斜角度と、および、前記傾斜角度の継続時間とから、前記屋外空気調和装置が運転可能か否かを判定する、
請求項２〜４のいずれか１項に記載の屋外空気調和装置。
【請求項６】
前記傾斜検知器の検知する傾斜角度が所定の傾斜角度より大きくなったときからの時間を計測する第１タイマー（９３）を、さらに備えた、
請求項５に記載の屋外空気調和装置。
【請求項７】
前記傾斜検知器の検知する傾斜角度が所定の傾斜角度より大きくなった後で、前記所定の傾斜角度以下となったときからの時間を計測する第２タイマー（９４）を、さらに備えた、
請求項５または６に記載の屋外空気調和装置。
【請求項８】
前記制御部は、前記第２タイマーの情報を受け取り、前記傾斜角度が前記所定の傾斜角度より大きい状態から小さい状態に変化したときからの時間が所定時間を超えたときに、前記屋外空気調和装置の運転を許可する、
請求項７に記載の屋外空気調和装置。
【請求項９】
前記傾斜検知器の検知した傾斜角度が所定の角度を超えているときに、ユーザーに報知する報知器をさらに備えた、
請求項１〜８のいずれか１項に記載の屋外空気調和装置。
【請求項１０】
前記傾斜検知器は、前記圧縮機もしくは前記圧縮機が配置される空間に配置されている、
請求項１〜９のいずれか１項に記載の屋外空気調和装置。
【請求項１１】
前記熱源側熱交換器および前記利用側熱交換器のうち少なくとも１つが前記圧縮機よりも上方に位置する、
請求項１〜１０のいずれか１項に記載の屋外空気調和装置。
【発明の詳細な説明】
【技術分野】
【０００１】
屋外で使用される空気調和装置。
【背景技術】
【０００２】
利用側熱交換器、および、熱源側熱交換器を、一つの筐体に備えた、空気調和装置が知られている。従来の空気調和装置は、一般に、室内の局部的空間の冷房、除湿などに用いられていた。たとえば、特許文献１（特開２００２−２２８１８６号公報）に開示されている一体型空気調和装置は、屋外への排気が難しいような窓の無い部屋で利用する空気調和装置である。
【発明の概要】
【発明が解決しようとする課題】
【０００３】
近年、屋外イベントは増加しており、屋外イベント会場や飲食店のテラス席等、屋外空気調和装置の要望が高まってきている。屋外空気調和装置は、屋外で移動させて用いられることが想定される。そして、設置場所は、屋外ゆえに、十分平坦でない場所に設置することも想定される。屋外空気調和装置が傾斜した地面に設置されると、装置が傾斜し、装置の運転に支障をきたすことも考えられる。
【課題を解決するための手段】
【０００４】
第１観点の屋外空気調和装置は、屋外で使用される空気調和装置である。屋外空気調和装置は、圧縮機と、熱源側熱交換器と、第１ファンと、利用側熱交換器と、第２ファンと、ケーシングと、傾斜検知器と、を備えている。第１ファンは、熱源側熱交換器に空気を通すためのものである。第２ファンは、利用側熱交換器に空気を通すためのものである。ケーシングは、圧縮機と、熱源側熱交換器と、第１ファンと、利用側熱交換器と、第２ファンとを、収容している。傾斜検知器は、屋外空気調和装置の傾きを検知する。
【０００５】
なお、ケーシングは、支柱と、底板と、天板と、を有していることが好ましい。
【０００６】
第１観点の屋外空気調和装置は、傾斜検知器を備えているので、空気調和装置の傾斜に応じた装置の制御を行うことができる。
【０００７】
第２観点の屋外空気調和装置は、第１観点の屋外空気調和装置であって、さらに、制御部を備えている。
【０００８】
第３観点の屋外空気調和装置は、第２観点の屋外空気調和装置であって、制御部は、空調運転の停止中に、傾斜検知器の検知情報に基づいて制御を行う。つまり、傾斜検知器の検知情報が、屋外空気調和装置が所定角度を超えて傾斜していることを示すときは、空調運転を開始しないように制御する。
【０００９】
ここで所定角度とは屋外空気調和装置がその傾斜角度で運転しても支障のない、最大の角度である。
【００１０】
第３観点の屋外空気調和装置は、屋外空気調和装置が所定角度を超えて傾斜しているときに、空調運転を開始しないように制御されているので、機器の信頼性が向上される。
【００１１】
第４観点の屋外空気調和装置は、第２観点または第３観点の屋外空気調和装置であって、制御部は、空調運転中に、傾斜検知器の検知情報が、屋外空気調和装置が所定角度を超えて傾斜していることを示すときは、空調運転を停止するように制御する。
【００１２】
ここで所定角度とは屋外空気調和装置がその傾斜角度で運転しても支障のない、最大の角度である。
【００１３】
第４観点の屋外空気調和装置は、空調運転中に屋外空気調和装置が所定角度を超えて傾斜しているときに、空調運転を停止するように制御されているので、機器の安全性が担保されている。
【００１４】
第５観点の屋外空気調和装置は、第２観点〜第４観点のいずれかの屋外空気調和装置であって、制御部は、傾斜検知器の検知した傾斜角度、および、その傾斜角度の継続時間とから、前記屋外空気調和装置が運転可能か否かを判定する。
【００１５】
第５観点の屋外空気調和装置において、制御部は、傾斜角度とその継続時間を両方考慮して運転可能か否かを判定するので、単に傾斜角度だけで判定する場合より、より適切に運転可否を判断できる。
【００１６】
第６観点の屋外空気調和装置は、第５観点の屋外空気調和装置であって、さらに、第１タイマーを備えている。第１タイマーは、傾斜検知器の検知する傾斜角度が所定の傾斜角度より大きくなったときからの時間を計測する。
【００１７】
第６観点の屋外空気調和装置は、第１タイマーを備えているので、所定の傾斜角度より大きくなったときからの時間を測定できる。
【００１８】
第７観点の屋外空気調和装置は、第５観点または第６観点の屋外空気調和装置であって、さらに、第２タイマーをさらに備えている。
【００１９】
第７観点の屋外空気調和装置は、第２タイマーを備えているので、傾斜角度が所定の傾斜角度以下となったときからの時間を測定できる。
【００２０】
第８観点の屋外空気調和装置は、第７観点の屋外空気調和装置であって、制御部は、第２タイマーの検知情報を受け取り、傾斜角度が所定の傾斜角度より大きい状態から小さい状態に変化したときからの時間が所定時間を超えたときに、前記屋外空気調和装置の運転を許可する。
【００２１】
ここで所定の傾斜角度とは屋外空気調和装置がその傾斜角度で運転しても支障のない、最大の角度である。
【００２２】
第８観点の屋外空気調和装置は、傾斜角度が所定角度以下になってから所定時間経過後に空調運転の開始を許可するので、装置の信頼性を向上することができる。
【００２３】
第９観点の屋外空気調和装置は、第１観点〜第８観点のいずれかの屋外空気調和装置であって、さらに、報知器を備えている。報知器は、傾斜検知器の検知した傾斜角度が所定の角度を超えているときに、ユーザーに報知する。
【００２４】
第９観点の屋外空気調和装置は、報知器を備えているため、ユーザーに屋外空気調和装置の傾斜が所定角度を超えていることを知らせることができる。それを知ったユーザーは、傾斜を修正するなどの対策を取ることができる。
【００２５】
第１０観点の屋外空気調和装置は、第１観点〜第９観点のいずれかの屋外空気調和装置であって、傾斜検知器は、前記圧縮機もしくは前記圧縮機が配置される空間に配置されている。
【００２６】
第１０観点の屋外空気調和装置は、傾斜検知器が圧縮機の近傍に配置されているため、圧縮機の傾斜により近い情報を得る事ができる。圧縮機の傾斜は、空気調和装置の運転にとって重要なので、この情報を利用することにより、より適切な装置の制御ができる。
【００２７】
第１１観点の屋外空気調和装置は、第１観点〜第１０観点のいずれかの屋外空気調和装置であって、熱源側熱交換器および利用側熱交換器のうち少なくとも１つが圧縮機よりも上方に位置する。
【００２８】
第１１観点の屋外空気調和装置は、熱交換器と圧縮機が同じ高さに配置されている空気調和装置に比べて、重心が高くなり傾く確率が大きくなる。したがって、屋外空気調和装置の設置時の状態を検知することの重要性があがり、傾斜検知器を備えることによる効果がより大きくなる。
【図面の簡単な説明】
【００２９】
【図１】第１実施形態の屋外空気調和装置１００の冷媒回路を示す図。
【図２】第１実施形態の屋外空気調和装置１００の外観斜視図。
【図３Ａ】第１実施形態の屋外空気調和装置１００の内部の構成を示す斜視図。
【図３Ｂ】第１実施形態の屋外空気調和装置１００の内部の構成を示すたて断面図。
【図４】第１実施形態の傾斜検知器２１と制御部９のブロック図。
【図５】第１実施形態の傾斜検知器２１と制御部９の制御を示すフローチャート。
【図６】第２実施形態の傾斜検知器２１と制御部９の制御を示すフローチャート。
【発明を実施するための形態】
【００３０】
＜第１実施形態＞
（１）屋外空気調和装置１００の冷媒回路の構成
第１実施形態の屋外空気調和装置１００の冷媒回路を図１に、外観の斜視図を図２に示す。本実施形態の屋外空気調和装置は、屋外に配置され、ヒートポンプを用いて、屋外の暖房、冷房、除湿などを行う空気調和装置である。ここで、屋外とは、外気にさらされる空間を意味する。たとえば、公園、野外競技場など、屋根の無いところの場合もあれば、屋根がある戸外空間、東屋や、ベランダのような場所であってもよい。
【００３１】
屋外空気調和装置１００は、冷房、または、除湿のみを行う冷房専用機であってもよい。屋外空気調和装置１００は、暖房のみを行う、暖房専用機であってもよい。屋外空気調和装置１００は、冷房、除湿に加えて、暖房を行う、空気調和装置であってもよい。
【００３２】
本実施形態の屋外空気調和装置１００は、図１に示すような冷媒回路全体を一つのケーシングの中に含む、空気調和装置である。屋外空気調和装置１００は、図１に示すように、圧縮機１、アキュムレーター８、四方切換弁２、利用側熱交換器３、膨張弁５、熱源側熱交換器６を備えている。これらの機器は、配管で接続され、冷媒は各機器を循環して、蒸気圧縮式の冷凍サイクルが行われる。屋外空気調和装置１００は、さらに、利用側熱交換器３、熱源側熱交換器６にそれぞれ空気を送る第２ファン４、第１ファン７を備えている。つまり、本実施形態の利用側熱交換器３、熱源側熱交換器６は、ともに、冷媒と空気で熱交換を行う熱交換器である。
【００３３】
冷房、除湿の場合は、利用側熱交換器３、熱源側熱交換器６は、それぞれ冷凍サイクルの蒸発器、凝縮器として機能する。暖房の場合は、利用側熱交換器、熱源側熱交換器は、それぞれ凝縮器、蒸発器として機能する。冷房と暖房の切換は、四方切換弁２の切換により冷媒の流れを変更することにより、行われる。屋外空気調和装置１００が冷房専用機である場合には、四方切換弁２は不要である。屋外空気調和装置１００が暖房専用機である場合には、デフロスト運転のために、四方切換弁２を備えていてもよい。
【００３４】
屋外空気調和装置１００において用いる冷媒としては、たとえば、Ｒ３２単体、Ｒ３２を含む混合冷媒である。Ｒ３２を含む混合冷媒の例としては、Ｒ４５２Ｂ、Ｒ４１０Ａ、Ｒ４５４Ｂである。Ｒ４５２Ｂは、Ｒ３２が６７．０ｗｔ％、Ｒ１２５が７．０ｗｔ％、Ｒ１２３４ｙｆが２６．０％である。Ｒ４１０Ａは、Ｒ３２が５０ｗｔ％、Ｒ１２５が５０ｗｔ％である。Ｒ４５４Ｂは、Ｒ３２が７２．５ｗｔ％、Ｒ１２３４ｙｆが２７．５ｗｔ％である。
【００３５】
（２）屋外空気調和装置１００の各機器の配置
屋外空気調和装置１００の外観の斜視図を図２に、化粧板、一部の支柱等を取り除いて、主な内部の構成を表示した斜視図、縦断面図を図３Ａ、図３Ｂに、傾斜検知器２１、制御部９のブロック図を図４に示す。
【００３６】
本実施形態の空気調和装置１００では、ケーシング１０の中に、圧縮機１、熱源側熱交換器６、利用側熱交換器３、第１ファン７、第２ファン４が収容されている。ケーシング１０は、水平断面が、略正方形の直方体形状を有している。水平断面は、多角形、長方形であってもよい。円形であってもよい。ケーシング１０は、４本の支柱１１ａ〜１１ｄと、天板１３と底板１２とを有している。またケーシング１０の内部の空間は中間板１４〜１７によって仕切られている。中間板は、ケーシング１０の構造の補強にも寄与している。中間板１４〜１７は設計により適宜の枚数、適宜の位置に配置される。４本の支柱１１ａ〜１１ｄは、上面視水平な正方形の四隅に、鉛直に配置されている。天板１３、底板１２、および複数の中間板１４、１５、１６、１７は、４本の支柱１１ａ〜１１ｄに固定されている。
【００３７】
ケーシング１０の４側面２０ａ〜２０ｄの外側には、化粧板２０１、２０２が取り付けられている。化粧板２０１、２０２は複数の孔が形成されており、孔を通じて空気が流通可能になっている。各側面２０ａ〜２０ｄの化粧板は、上化粧板２０１、下化粧板２０２に分割されている。
【００３８】
ケーシング１０の内部には、上から順に、第１ファン７、熱源側熱交換器６、第２ファン４、利用側熱交換器３、圧縮機１が配置されている。第１ファン７は、熱源側熱交換器６に空気を流通させる。第２ファン４は、利用側熱交換器３に空気を流通させる。底板１２と中間板１７の間には、圧縮機１だけでなく、アキュムレーター８が配置されている。
【００３９】
底板１２のさらに下には、４つのキャスターが取り付けられている。したがって、屋外空気調和装置１００は、移動可能である。
【００４０】
第１ファン７は、プロペラファンである。ターボファン、シロッコファンであってもよい。第１ファン７は、天板１３の中央部に吹出し口２９を開けて、天板の中央部から上方に空気を排出できるように取り付けられている。図示されていないが天板１３の中央部の吹出し口２９にはさらにメッシュ状の板が配置されている。
【００４１】
熱源側熱交換器６は、冷媒を流通させる伝熱管と、冷媒と空気との熱交換を推進する金属製フィンを含んでいる。熱源側熱交換器６は、ケーシング１０の４側面２０ａ〜２０ｄの全ての面に配置されている。冷媒は、すべての側面２０ａ〜２０ｄを通過させる必要は無い。たとえば、２側面ごとに２つに分離して、冷媒を分配して流通させてもよい。また。必ずしも４側面２０ａ〜２０ｄ全てに熱源側熱交換器６を配置しなくてもよい。３つの面、２つの面、１つの面だけに配置してもよい。
【００４２】
第２ファン４は、ターボファンである。プロペラファン、シロッコファンであってもよい。第２ファン４は、中間板１５、１６の間に、中間板１５の中央部に吊り下げるように取り付けられている。第２ファン４は、第１ファン７のモータと別のモータで駆動され、独立に制御可能である。
【００４３】
利用側熱交換器３は、冷媒を空気と熱交換させながら流通させる伝熱管と、冷媒と空気との熱交換を促進する金属製フィンとを含んでいる。利用側熱交換器３は、ケーシング１０の４側面２０ａ〜２０ｄの全ての面に配置されている。冷媒は、すべての面を通過させる必要は無い。たとえば、２側面ごとに２つに分離して、冷媒を分配して流通させてもよい。また。必ずしも４つの側面２０ａ〜２０ｄ全てに利用側熱交換器３を配置しなくてもよい。３つの面、２つの面、１つの面だけに配置してもよい。
【００４４】
屋外空気調和装置１００の最下部、ケーシング１０と、中間板１７および底板１２に挟まれた空間には、圧縮機１、アキュムレーター８、制御部９、傾斜検知器２１が配置されている。さらに、仕切り板２２によって、圧縮機１およびアキュムレーター８の配置されている空間と、制御部９および傾斜検知器２１が配置されている空間は仕切られている。
【００４５】
制御部９は、屋外空気調和装置１００を制御する。特に、圧縮機１、ファン４、７などの動きを制御する。制御部９は、図４に示すように、プロセッサー９１、メモリー９２、タイマー９３、９４を含んでいる。タイマーは、一つであってもよい。第１タイマー９３と第２タイマー９４は物理的には同一のものであってもよい。特に本実施形態の制御部９は、傾斜検知器２１の検知情報を受け取り、屋外空気調和装置１００の運転制御を行う。
【００４６】
傾斜検知器２１は、屋外空気調和装置１００の傾きを検知する。傾斜検知の方式としては、いずれの方式であってもよく、特に限定されない。たとえば、気泡や振り子を利用した機械的な測定をするもの、ポテンシオメータや磁気を用いるもの、ＭＥＭＳ技術を利用した傾斜センサや、電解液の傾きを利用した傾斜センサであってもよい。精密に角度を検知できる検知器の方がより好ましい。
【００４７】
また、本実施形態の屋外空気調和装置１００は、操作パネルを有している（図示せず）。操作パネルには、操作用のタッチパネルに加えて、表示部が備えられており、機器の運転状態、トラブル等が表示される。傾斜検知器２１で検知した傾斜角度が、所定の角度を超えるときは、表示部に、警告が表示される。ユーザーは警告をみて、傾斜角度を修正するなどの対策を講じることができる。
【００４８】
（３）屋外空気調和装置１００における空気を流す構成と、空気の流れの説明
（３−１）利用側熱交換器３側の空気の流れ
図面を参照して、利用側熱交換器３側の空気の流れを詳細に説明する。図３Ａ、図３Ｂには、本実施形態の屋外空気調和装置１００における、主な空気の流れを矢印に示してあり、図４は吹出し口３１付近の詳細を示す図である。
【００４９】
第２ファン４が運転されると、空気は、屋外空気調和装置１００の外部、４側面２０ａ〜２０ｄの利用側熱交換器３の前面から、下化粧板２０２を通過して、中間板１６、１７の間の空間に取り込まれる。空気は、利用側熱交換器３を通過し、利用側熱交換器３において、冷媒と熱交換を行う。冷媒によって加熱または冷却された空気は、第２ファン４を通過し、中間板１５、１６の間の空間へ移動し、４側面２０ａ〜２０ｄに設けられた吹出し口３１ａ〜３１ｄから外の空間に、横方向に吹出される。吹出し口３１ａ〜３１ｄは、ケーシング１０に形成された穴である。ここで横方向とは、水平方向±３０°で定義する。本実施形態の屋外空気調和装置１００は、フラップ４０２を有しており、水平方向と、水平方向±３０°より広い角度に空気を吹出すことができる。吹出し口の向きを変更することにより、ある方向だけ全閉にして、特定の方向だけ空気の吹出しを封止することもできる。また、吹出し口３１ａ〜３１ｄに用いる部材、フラップ４０２などは、耐候性材料を用いるか、表面に耐候性処理を施すのが好ましい。ここで耐候性材料の例としては、アクリロニトリルスチレン重合体などであるが、これに限定されない。
【００５０】
（３−２）熱源側熱交換器６側の空気の流れ
第１ファン７が運転されると、空気は、屋外空気調和装置１００の外部の、熱源側熱交換器６が配置されている前面から、上化粧板２０１を通過して、中間板１４、１５の間の空間に、取り込まれる。外気は、４側面２０ａ〜２０ｄにおいて、取り込まれる。外部から取り込まれた空気は、熱源側熱交換器６を通過して、冷媒と熱交換を行う。冷媒によって、加熱または冷却された空気は、屋外空気調和装置１００の内部で第１ファン７、天板１３の中央の吹出し口２９を通過して、屋外空気調和装置１００の外の上部に、上向きに吹出される。
【００５１】
（４）傾斜検知器２１を利用した空気調和装置１００の運転制御
（４−１）空調運転中の制御
空気調和装置１００の空調運転中の制御について、図５のフローチャートを用いて説明する。
【００５２】
空調運転中に、ステップＳ１０１では、傾斜検知器２１が傾斜角度の測定を行う。検知を行うタイミングは、空調運転中継続的であっても良いし、所定時間おきであっても良い。傾斜検知器２１は検知した傾斜角度の情報を制御部９に伝える。制御部９は、傾斜角度が運転を継続しても良い所定の角度の範囲内であるか否かを判断する（Ｓ１０２）。
【００５３】
制御部９が、空気調和装置１００の傾斜が所定角度以下であると判断したときは、そのまま、空調運転を継続する（Ｓ１０３）。所定角度とは、空気調和装置がその傾斜角度で運転しても支障のない、最大の角度である。逆に、ステップＳ１０２で、制御部９が、傾斜が所定角度を超えていると判断したときは、空調運転を停止させる（Ｓ１０４）。具体的には、圧縮機１、ファン４、７などを、必要なときは適当な時間をかけて停止させる。本実施形態の屋外空気調和装置１００は、制御部９が空調運転を停止させるときは、ユーザーにその旨を報知する。
【００５４】
本実施形態の屋外空気調和装置１００は、ユーザーに運転状態を知らせる表示部（ディスプレイ、図示せず）を有している。制御部９が空調運転を停止させるときは、表示部に運転停止中であることを表示する。たとえば、「傾斜角度大のため運転停止」などと表示する。
【００５５】
（４−２）空調停止中の制御
本実施形態の空気調和装置１００の空調停止中の制御は、ほぼ、空調運転中の制御と同じである。図５を利用して説明することができる。
【００５６】
つまり、空調を運転するためのスイッチが入ると、制御部９は傾斜検知器２１に傾斜角度を測定するよう指令を送る。傾斜検知器２１は、傾斜角度測定を行う（Ｓ１０１）。傾斜角度の測定結果は、制御部９に送られる。制御部９は、傾斜角度が所定角度以下か否かを判断する（Ｓ１０２）。この場合の所定角度は、空調運転中と同様である。所定角度以下である場合は、空調運転開始を許可し、空調運転を開始させる（Ｓ１０３）。
【００５７】
逆に、制御部９は、傾斜角度が所定角度を超えているときは空調運転を許可せずに、空調運転を開始させない（Ｓ１０４）。
【００５８】
（５）特徴
（５−１）
本実施形態の屋外空気調和装置は、一つのケーシング１０の中に、圧縮機１、熱源側熱交換器６、利用側熱交換器３、第１ファン７、第２ファン４、傾斜検知器２１、制御部９を備えている。
【００５９】
本実施形態の屋外空気調和装置１００は、屋外で移動させて利用されることが想定されている。様々な場所に設置されるがゆえに、傾斜地や接地面に石などの障害物がある場所、地盤がゆるい場所に設置される可能性もある。また、移動中に傾斜する可能性もある。屋外空気調和装置１００は、傾斜すると、機器の動作に支障をきたす恐れがある。たとえば、圧縮機１の油が所定の位置から流れ出るなどの課題である。
【００６０】
このような課題に対応するため、本実施形態の屋外空気調和装置１００は、傾斜検知器２１を有している。傾斜検知器２１が所定角度を超える装置の傾斜角度を検知したときは、空調運転を開始させないなどの制御を行うことにより、機器のトラブルの発生を未然に防ぐことができる。
【００６１】
（５−２）
本実施形態の屋外空気調和装置は、空調運転中に測定した傾斜角度が所定角度を超えるときは、空調運転を停止させる。
【００６２】
このような制御を行うことにより、機器のトラブルの発生を防ぐことができる。
【００６３】
（５−３）
本実施形態の屋外空気調和装置は、空調運転前に測定した傾斜角度が所定角度を超えるときは、空調運転を許可しない。ここで運転開始前とは、一度、運転を開始した後で、再度運転する場合も含む。
【００６４】
機器の据付接地時はもちろん、試運転後の停止時から再度運転を開始させるときも傾きを測定することで、より空気調和装置の信頼性を向上できる。
【００６５】
（５−４）
本実施形態の屋外空気調和装置は、傾斜検知器２１で測定した角度が所定角度を超えるときにユーザーに報知することができる報知器を備えている。本実施形態では、報知器は、表示部である。
【００６６】
ユーザーは表示部により傾斜角度が所定角度を超えていることを知ることができるので、傾斜角度を修正する対策を講じることができる。
【００６７】
（５−５）
本実施形態の傾斜検知器２１は、圧縮機１もしくは圧縮機１が配置される空間に配置されている。圧縮機１が配置される空間とは、ケーシング１０と、中間板１７と底板１２との間の空間である。このように圧縮機１の近傍に傾斜検知器２１が配置されることにより、圧縮機１の傾斜角度に近い傾斜角度を検出することができる。圧縮機１は最も傾斜角度に敏感な機器の一つであり、圧縮機１の傾斜角度に近い情報を検出することにより、より機器の制御に有益な情報を得ることができる。
【００６８】
（５−６）
本実施形態の屋外空気調和装置は、熱交換器３、６が圧縮機１よりも上の空間に配置されている。そのために、熱交換器が圧縮機と同じ高さに配置されている空気調和装置に比べて、重心が高くなる。したがって、たとえば、傾斜検知器２１で検知した傾斜角度が、所定の角度を超える場合、それをすぐに警報等でユーザーに報知を行えば、傾斜角度が大きいことをユーザーに知らせることができる。
【００６９】
また傾斜検知器があることでサービスマンやユーザーが自ら傾きの確認を行わなくとも、空気調和装置が所定角度以上傾いていることをサービスマンやユーザーに伝えることができる。
【００７０】
（６）変形例
（６−１）変形例１Ａ
第１実施形態では、報知器としては、表示部（ディスプレイ）が用いられていた。変形例１Ａにおいては、報知器は、音で通知するもの、たとえば、ブザーである。その他の構成は、第１実施形態と同じである。ユーザーは、ブザーの警告音により、屋外空気調和装置の傾斜角度が所定角度を超えていることを知ることができる。それによって、傾斜角度を修正する対策を講じることができる。
【００７１】
また、屋外空気調和装置は、表示部とブザーと両方を有していても良い。両方で、ユーザーに報知することにより、さらに、ユーザーが報知を認識する確率が高まる。また、装置を使用する状況によって、表示部とブザーを使い分けることもできる。
【００７２】
（６−２）変形例１Ｂ
第１実施形態では、報知器としては、表示部（ディスプレイ）であり、変形例１Ａでは、ブザーが用いられていた。変形例１Ｂにおいては、報知器は、光で通知するもの、たとえば、ランプである。その他の構成は、第１実施形態と同じである。ユーザーは、たとえば、ＬＥＤランプが点滅することにより、屋外空気調和装置の傾斜角度が所定角度を超えていることを知ることができる。それによって、傾斜角度を修正する対策を講じることができる。
【００７３】
また、屋外空気調和装置において報知器は、第１実施形態、変形例１Ａ、１Ｂのものを適宜組み合わせて用いてもよい。
【００７４】
＜第２実施形態＞
（７）第２実施形態の屋外空気調和装置の空調運転開始前の制御
第１実施形態では、空調運転開始前の制御について、（４−２）で述べたように、傾斜角度だけを用いて、制御する場合について、説明した。第２実施形態は、傾斜角度とその角度の継続した時間も考慮して制御する場合である。
【００７５】
第１実施形態の装置構成は実施形態１と同じである。また、空調運転中の制御も第１実施形態と同じである。空調運転開始前の制御について、図６を用いて説明する。
【００７６】
第２実施形態の屋外空気調和装置は、空調運転停止中、屋外の所定の位置に設置された状態で、傾斜検知器２１の測定を開始する。たとえば、電源コードをつないだとき、傾斜検知器２１が測定開始するように設定しておいても良い。あるいは、屋外空気調和装置が停止中であっても常に、移動中の時間も含めて傾斜検知器２１が測定するように設定しておいても良い。あるいは、ユーザーがスイッチを操作してから、傾斜検知器２１の測定を開始してもよい。
【００７７】
いずれにしても、空調運転開始前のある時間に、制御はスタートする。最初に、傾斜検知器２１の測定を開始する前に、制御部９は、第１タイマー９３、第２タイマー９４の計測時間を０に設定する（ステップＳ２００）。次に、傾斜検知器２１は、屋外空気調和装置１００の傾斜角度測定を行う（Ｓ２０１）。測定された傾斜角度情報は、制御部９に送られる。制御部９は、傾斜角度が所定角度以下か否かを判断する（Ｓ２０２）。この所定角度は、第１実施形態の所定角度と同一であってもよい。第１実施形態の所定角度よりも低くてもよい。つまり、低い角度であっても屋外空気調和装置にとって長時間そのままにするべきでない角度を含むように設定しても良い。
【００７８】
ステップＳ２０２で制御部９が所定角度を超えていると判断した場合、測定時刻と角度がメモリー９２に記憶され、第１タイマー９３の時間計測がスタートする（Ｓ２０３）。同時に、空調運転のスタートが禁止される。さらに、ユーザーに傾斜角度が空調運転に支障がある旨が報知される。たとえば、操作パネルの表示部に、その旨が表示される。通常は、この報知に対応して、ユーザーによる屋外空気調和装置の傾斜角度の修正が行われる（Ｓ２０４）。
【００７９】
そうして、制御は最初に戻る。つまり、タイマー９３、９４は再び０に設定される（Ｓ２００）。このとき、制御部９は、それまでの第１タイマー９３の計測時間と傾斜角度とをメモリー９２に記憶する。そして、検知器による角度測定が再び行われる（Ｓ２０１）。測定角度は、再び制御部に送られ、制御部９は所定角度以下か否か判断する（Ｓ２０２）。このステップは、屋外空気調和装置の傾斜角度が所定角度以下になるまで繰り返される。ステップＳ２０２で傾斜角度が所定角度以下になったとき、ステップＳ２０９に進む。ステップＳ２０９では、第２タイマー９４の計測を開始する。続いて、ステップＳ２１０に進む。
【００８０】
ステップＳ２１０では、ステップＳ２０２で２回以上連続して所定角度以下になったかどうかが判断される。ステップＳ２０２で所定角度以下になったのが始めてであれば、ステップＳ２１２に進む。
【００８１】
ステップＳ２１２では、傾斜角度が所定の角度以下になった状態で所定時間経過するのを待つ。つまり、傾斜角度が所定の角度以下であっても、いきなり空調運転が開始できるわけではなくて、所定時間の経過を待って、空調運転を開始させるのである。これは、たとえば、空気調和装置１００の長時間傾斜した状態が続いた後に、空気調和装置１００に不具合が発生している場合があり、その回復に時間がかかる場合があるからである。たとえば、圧縮機１の傾斜により、圧縮機１の油が適切な位置に保持されていなかった場合などである。
【００８２】
ステップＳ２１２で所定時間の経過後は、再びＳ２００に戻り、タイマー９３、９４の継続時間が０に設定される。同時に、それまでの第２タイマーによる計測時間がメモリーに記憶される。ステップＳ２０１に進み、ふたたび傾斜角度測定を行う。ステップＳ２０１で傾斜角度が所定角度以下のときは、ステップＳ２０９、Ｓ２１０に進む。ステップＳ２１０で、２回連続して傾斜角度が所定角度以下のときは、ステップＳ２２０に進む。
【００８３】
ステップＳ２２０では、空調運転の指示があったか否かを判断する。
【００８４】
空調運転の指示がなかった場合は、ステップＳ２１２の所定時間経過後、ふたたび、ステップＳ２００、ステップＳ２０１に戻り、傾斜検知器２１が傾斜角度を測定する。特に環境の変化がない場合には、ステップＳ２０２、Ｓ２１０、Ｓ２２０に進む。この間、ステップＳ２１２を経由するので、第２タイマー９４が、傾斜角度が所定の角度以下の時間を計測し、ステップＳ２００で、第２タイマー９４の計測時間がメモリー９２に記憶される。
【００８５】
ステップＳ２２０で空調運転スタートの指示があったときは、ステップＳ２２１に進む。制御部９は、ステップＳ２２１で、空調運転の可否を判断する。制御部９は、第１タイマーで計測した、所定角度以上の角度とその継続時間、第２タイマーで計測した、その後、所定角度以下の角度の継続時間を勘案して、空調運転の可否を判断する。たとえば、所定角度を超えて傾いた場合であっても、それが短い時間であれば、第２タイマーで計測した所定角度以下の継続時間が短くても運転を許可する（Ｓ２２２）。
【００８６】
ステップＳ２２１で制御部９が空調運転の開始を許可できないと判断した場合は、ステップＳ２１２の所定時間を経た後、ステップＳ２０１の傾斜角度の検知に戻る。そうして、ステップＳ２１２を経由することで、第２タイマーの所定角度以下の傾斜時間を蓄積することによって、いずれは、空調運転許可できると判断されることになる。
【００８７】
第２実施形態の屋外空気調和装置１００は、空調運転開始の指示があってから、傾斜検知器による傾斜角度の測定を開始した場合でも、少なくとも一度はステップＳ２１２の所定時間が経過するまでは空調運転を開始しない。これは、装置保護のためである。
【００８８】
（８）第２実施形態の特徴
（８−１）
第２実施形態の屋外空気調和装置は、単に傾斜検知器２１で測定した傾斜角度で、空調運転の開始を許可するだけでなく、傾斜角度が所定角度以下の状態が、所定時間続いた後で、空調運転の許可を開始するようになっている。
【００８９】
第２実施形態の屋外空気調和装置がこのような制御をする理由は、屋外空気調和装置が所定角度を超えて傾斜した場合、場合によっては、その回復に所定時間必要とされる場合があるからである。たとえば、移送中に圧縮機が傾斜して、その油が、圧縮機外に流出した場合、その油が圧縮機に戻るには、相当の時間を必要とする。第２実施形態の空気調和装置は、その時間の空調運転を停止することにより、装置を保護することができる。
【００９０】
（８−２）
また、本実施形態において、空気調和装置を保護するために、所定の傾斜角度内に保持すべき時間は、常に一定ではない。所定角度内に収まる前に、所定角度を超えて傾斜した角度、時間に依存する。たとえば、前述の圧縮機の油について、圧縮機が所定角度を超えて傾いたとしても、その時間が短時間であれば、圧縮機の油は比較的短時間で元に戻る。そこで、第２実施形態では、まず、所定角度より大きく傾斜した傾斜角度を傾斜検知器で、時間を第１タイマー９３で計測する。次に、傾斜角度が所定角度以下になってからの継続時間を、第２タイマー９４で計測する。そうして、この第２タイマー９４で計測する必要時間を、第１タイマーで測定する時間と所定角度を超えた傾斜角度で決定する。先ほどの例では、傾斜角度が大きくても、第１タイマーで計測する時間が短時間であれば、第２タイマーの必要継続時間は短くする。このような制御を行うことにより、装置を保護し、かつ、ユーザーの空調運転できないという不便を最小限にすることができる。
【００９１】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００９２】
１００          屋外空気調和装置
１              圧縮機
２              四方切換弁
３              利用側熱交換器
４              第２ファン
５              膨張弁
６              熱源側熱交換器
７              第１ファン
８              アキュムレーター
９              制御部
１０            ケーシング
１１ａ〜１１ｄ  支柱
１２            底板
１３            天板
１４〜１７      中間板
２０ａ〜２０ｄ  側面
２０１、２０２  化粧板
２１            傾斜検知器
２２            仕切り板
２９            吹出し口
３０            吹出し口部材
３１ａ〜３１ｄ  吹出し口
４０１          フラップ
【先行技術文献】
【特許文献】
【００９３】
【特許文献１】特開２００２−２２８１８６号公報
【図１】
2020003178.tif 000003
【図２】
2020003178.tif 000004
【図３Ａ】
2020003178.tif 000005
【図３Ｂ】
2020003178.tif 000006
【図４】
2020003178.tif 000007
【図５】
2020003178.tif 000008
【図６】
2020003178.tif 000009